(57)【要約】【課題】  電子メールの送受信が可能な情報通信端末以外の個人用情報通信端末を利用して送信メッセージの登録および受信ができる備忘録システムを提供すること。【解決手段】  個人用情報通信端末からの送信メッセージをテキスト形式で記憶装置２にそのまま登録するテキストデータ受付手段Ａと、音声データで送信されたメッセージをテキストデータに変換してテキストデータ受付手段Ａに引き渡す音声データ変換手段Ｂと、送信メッセージの希望送信日時を判定する送信日時比較手段Ｄと、希望送信先の種別を判定する送信先判定手段Ｅと、希望送信先に応じて電子メールもしくは音声データあるいはファクシミリ用の画像データを生成して希望送信先に送信する手段Ｆ，Ｇ，Ｈを設ける。【選択図】図１
2006148629.tif 000002
【特許請求の範囲】
【請求項１】
記憶装置を備えたサーバー・コンピュータと個人用情報通信端末とをネットワークを介して接続し、前記個人用情報通信端末から前記ネットワークおよび前記サーバー・コンピュータを介して前記記憶装置に送信メッセージと希望送信日時および希望送信先とを登録し、前記サーバー・コンピュータの送信日時比較手段により前記希望送信日時と現在日時とを比較し、前記現在日時が前記希望送信日時に達した時点で前記希望送信先に前記送信メッセージを送信するようにした備忘録システムにおいて、
前記サーバー・コンピュータに、テキストデータを送信する個人用情報通信端末からのテキストデータを受け付けて前記記憶装置に送信メッセージとして登録するテキストデータ受付手段と、
音声を送信する個人用情報通信端末からの音声データを受け付けてテキストデータに変換して前記テキストデータ受付手段に引き渡す音声データ変換手段と、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段と、
前記送信先判定手段による判定結果が電子メールアドレスである場合に作動し、前記送信メッセージを電子メールとして前記希望送信先に送信する電子メール送信手段と、
前記送信先判定手段による判定結果が電話番号である場合に作動し、前記送信メッセージを音声データに変換して前記希望送信先に送信する音声データ送信手段と、
前記送信先判定手段による判定結果がファクシミリ番号である場合に作動し、前記送信メッセージをファクシミリ用の画像データに変換して前記希望送信先に送信するファクシミリデータ送信手段とを備えたことを特徴とする備忘録システム。
【請求項２】
前記記憶装置が、単一の送信メッセージに対して複数の希望送信先を登録するように構成されていることを特徴とする請求項１記載の備忘録システム。
【請求項３】
前記サーバー・コンピュータには、送信メッセージの登録に際し、該送信メッセージを前記送信日時比較手段による比較結果に関わりなく前記送信先判定手段に送信対象メッセージとして引き渡す確認情報送信設定手段が併設されていることを特徴とする請求項１または請求項２記載の備忘録システム。
【請求項４】
前記サーバー・コンピュータには、前記個人用情報通信端末からの要求を受け、該個人用情報通信端末から送信されて前記記憶装置に記憶された送信メッセージと希望送信日時および希望送信先を修正もしくは削除する登録データモデファイ手段が併設されていることを特徴とする請求項１，請求項２または請求項３記載の備忘録システム。
【請求項５】
個人用情報通信端末と接続可能なネットワークに記憶装置を備えて接続されたサーバー・コンピュータのマイクロプロセッサを、
前記個人用情報通信端末から送信されたテキストデータからなる送信メッセージと希望送信日時および希望送信先を受け付けて前記記憶装置に登録するテキストデータ受付手段、
前記個人用情報通信端末から送信された音声データからなる送信メッセージと希望送信日時および希望送信先を受け付けてテキストデータに変換して前記テキストデータ受付手段に引き渡す音声データ変換手段、
前記記憶装置に登録された送信メッセージの希望送信日時と現在日時とを比較し、前記現在日時が前記希望送信日時に達したか否かを判定する送信日時比較手段、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段、
前記送信先判定手段による判定結果が電子メールアドレスである場合に作動し、前記送信メッセージを電子メールとして前記希望送信先に送信する電子メール送信手段、
前記送信先判定手段による判定結果が電話番号である場合に作動し、前記送信メッセージを音声データに変換して前記希望送信先に送信する音声データ送信手段、および、
前記送信先判定手段による判定結果がファクシミリ番号である場合に作動し、前記送信メッセージをファクシミリ用の画像データに変換して前記希望送信先に送信するファクシミリデータ送信手段として機能させることを特徴とした備忘録システム用コンピュータプログラム。
【請求項６】
個人用情報通信端末と接続可能なネットワークに記憶装置を備えて接続されたサーバー・コンピュータのマイクロプロセッサを、
前記個人用情報通信端末から送信されたテキストデータからなる送信メッセージと希望送信日時および希望送信先を受け付けて前記記憶装置に登録するテキストデータ受付手段、
前記個人用情報通信端末から送信された音声データからなる送信メッセージと希望送信日時および希望送信先を受け付けてテキストデータに変換して前記テキストデータ受付手段に引き渡す音声データ変換手段、
前記記憶装置に登録された送信メッセージの希望送信日時と現在日時とを比較し、前記現在日時が前記希望送信日時に達したか否かを判定する送信日時比較手段、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段、
前記送信メッセージの登録に際し、該送信メッセージを前記送信日時比較手段による比較結果に関わりなく前記送信先判定手段に送信対象メッセージとして引き渡す確認情報送信設定手段、
前記送信先判定手段による判定結果が電子メールアドレスである場合に作動し、前記送信メッセージを電子メールとして前記希望送信先に送信する電子メール送信手段、
前記送信先判定手段による判定結果が電話番号である場合に作動し、前記送信メッセージを音声データに変換して前記希望送信先に送信する音声データ送信手段、および、
前記送信先判定手段による判定結果がファクシミリ番号である場合に作動し、前記送信メッセージをファクシミリ用の画像データに変換して前記希望送信先に送信するファクシミリデータ送信手段として機能させることを特徴とした備忘録システム用コンピュータプログラム。
【請求項７】
個人用情報通信端末と接続可能なネットワークに記憶装置を備えて接続されたサーバー・コンピュータのマイクロプロセッサを、
前記個人用情報通信端末から送信されたテキストデータからなる送信メッセージと希望送信日時および希望送信先を受け付けて前記記憶装置に登録するテキストデータ受付手段、
前記個人用情報通信端末から送信された音声データからなる送信メッセージと希望送信日時および希望送信先を受け付けてテキストデータに変換して前記テキストデータ受付手段に引き渡す音声データ変換手段、
前記個人用情報通信端末からの要求を受け、該個人用情報通信端末から送信されて前記記憶装置に記憶された送信メッセージと希望送信日時および希望送信先を修正もしくは削除する登録データモデファイ手段、
前記記憶装置に登録された送信メッセージの希望送信日時と現在日時とを比較し、前記現在日時が前記希望送信日時に達したか否かを判定する送信日時比較手段、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段、
前記送信先判定手段による判定結果が電子メールアドレスである場合に作動し、前記送信メッセージを電子メールとして前記希望送信先に送信する電子メール送信手段、
前記送信先判定手段による判定結果が電話番号である場合に作動し、前記送信メッセージを音声データに変換して前記希望送信先に送信する音声データ送信手段、および、
前記送信先判定手段による判定結果がファクシミリ番号である場合に作動し、前記送信メッセージをファクシミリ用の画像データに変換して前記希望送信先に送信するファクシミリデータ送信手段として機能させることを特徴とした備忘録システム用コンピュータプログラム。
【請求項８】
個人用情報通信端末と接続可能なネットワークに記憶装置を備えて接続されたサーバー・コンピュータのマイクロプロセッサを、
前記個人用情報通信端末から送信されたテキストデータからなる送信メッセージと希望送信日時および希望送信先を受け付けて前記記憶装置に登録するテキストデータ受付手段、
前記個人用情報通信端末から送信された音声データからなる送信メッセージと希望送信日時および希望送信先を受け付けてテキストデータに変換して前記テキストデータ受付手段に引き渡す音声データ変換手段、
前記個人用情報通信端末からの要求を受け、該個人用情報通信端末から送信されて前記記憶装置に記憶された送信メッセージと希望送信日時および希望送信先を修正もしくは削除する登録データモデファイ手段、
前記記憶装置に登録された送信メッセージの希望送信日時と現在日時とを比較し、前記現在日時が前記希望送信日時に達したか否かを判定する送信日時比較手段、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段、
前記送信メッセージの登録に際し、該送信メッセージを前記送信日時比較手段による比較結果に関わりなく前記送信先判定手段に送信対象メッセージとして引き渡す確認情報送信設定手段、
前記送信先判定手段による判定結果が電子メールアドレスである場合に作動し、前記送信メッセージを電子メールとして前記希望送信先に送信する電子メール送信手段、
前記送信先判定手段による判定結果が電話番号である場合に作動し、前記送信メッセージを音声データに変換して前記希望送信先に送信する音声データ送信手段、および、
前記送信先判定手段による判定結果がファクシミリ番号である場合に作動し、前記送信メッセージをファクシミリ用の画像データに変換して前記希望送信先に送信するファクシミリデータ送信手段として機能させることを特徴とした備忘録システム用コンピュータプログラム。
【発明の詳細な説明】
【技術分野】
【０００１】
本発明は、ネットワークを利用した備忘録システムおよび備忘録システム用コンピュータプログラムの改良に関する。
【背景技術】
【０００２】
ネットワークを利用した備忘録システムとして利用可能な技術としては、例えば、特許文献１に開示されるスケジュールデータ管理システムや特許文献２に開示される電子メール送受信サービスシステムが公知である。
【０００３】
これらのスケジュールデータ管理システムや電子メール送受信サービスシステムは、電子メールに含まれるスケジュールデータに基いてサーバー・コンピュータ側で電子メールの配信日時等を管理するものであり、従って、メッセージを送信するための情報通信端末やメッセージを受信するための情報通信端末としては、少なくとも、電子メールの送受信が可能な情報通信端末、例えば、インターネットに接続されたパーソナル・コンピュータや基地局経由でネットワークに接続可能な携帯電話に限られ、また、電子メールを受信するためにはパーソナル・コンピュータや携帯電話に電源が投入されている必要があり、必ずしも、配信を予定した日時に送信メッセージを受け取れない場合があった。
【０００４】
【特許文献１】特開２００２−２７１４０７号公報
【特許文献２】特開２００４−４８６２５号公報
【発明の開示】
【発明が解決しようとする課題】
【０００５】
そこで、本発明の課題は、前記従来技術の不都合を改善し、電子メールの送受信が可能な情報通信端末以外の個人用情報通信端末、例えば、電話等を利用して送信メッセージや希望送信日時および希望送信先が登録でき、また、希望送信日時には電子メールの他、電話やファクシミリ装置でも送信メッセージを受け取ることのできる備忘録システムおよび備忘録システム用コンピュータプログラムを提供することにある。
【課題を解決するための手段】
【０００６】
本発明は、記憶装置を備えたサーバー・コンピュータと個人用情報通信端末とをネットワークを介して接続し、前記個人用情報通信端末から前記ネットワークおよび前記サーバー・コンピュータを介して前記記憶装置に送信メッセージと希望送信日時および希望送信先とを登録し、前記サーバー・コンピュータの送信日時比較手段により前記希望送信日時と現在日時とを比較し、前記現在日時が前記希望送信日時に達した時点で前記希望送信先に前記送信メッセージを送信するようにした備忘録システムであり、前記課題を達成するため、特に、
前記サーバー・コンピュータに、テキストデータを送信する個人用情報通信端末からのテキストデータを受け付けて前記記憶装置に送信メッセージとして登録するテキストデータ受付手段と、
音声を送信する個人用情報通信端末からの音声データを受け付けてテキストデータに変換して前記テキストデータ受付手段に引き渡す音声データ変換手段と、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段と、
前記送信先判定手段による判定結果が電子メールアドレスである場合に作動し、前記送信メッセージを電子メールとして前記希望送信先に送信する電子メール送信手段と、
前記送信先判定手段による判定結果が電話番号である場合に作動し、前記送信メッセージを音声データに変換して前記希望送信先に送信する音声データ送信手段と、
前記送信先判定手段による判定結果がファクシミリ番号である場合に作動し、前記送信メッセージをファクシミリ用の画像データに変換して前記希望送信先に送信するファクシミリデータ送信手段とを備えたことを特徴とする構成を有する。
【０００７】
以上の構成により、パーソナル・コンピュータまたは電子メール送信機能付携帯電話等の個人用情報通信端末から送信メッセージや希望送信日時および希望送信先がテキスト形式で送信された場合は、サーバー・コンピュータのテキストデータ受付手段が、これらの送信メッセージや希望送信日時および希望送信先を受け付けて一対一に対応させて記憶装置に其のまま登録する。
また、通常の電話や電子メール送信機能のない携帯電話等の個人用情報通信端末から送信メッセージや希望送信日時および希望送信先が音声データで送信された場合には、サーバー・コンピュータの音声データ変換手段が、これらの送信メッセージや希望送信日時および希望送信先を受け付けてテキストデータに変換してからテキストデータ受付手段に引き渡し、テキストデータ受付手段が、これらの送信メッセージや希望送信日時および希望送信先を一対一に対応させて記憶装置に登録する。
そして、サーバー・コンピュータの送信日時比較手段は、送信メッセージの希望送信日時と現在日時とを比較し、現在日時が希望送信日時に達したと判断されると、サーバー・コンピュータの送信先判定手段が作動して、この送信メッセージの希望送信先が電子メールアドレスで指定されているのか電話番号で指定されているのかファクシミリ番号で指定されているのかを判定する。
ここで、送信先判定手段によって希望送信先が電子メールアドレスであると判定された場合には、サーバー・コンピュータの電子メール送信手段が作動し、前記記憶装置に登録されている当該メッセージをテキスト形式のまま電子メールとして前記希望送信先（電子メールアドレス）に送信する。
また、送信先判定手段によって希望送信先が電話番号であると判定された場合には、サーバー・コンピュータの音声データ送信手段が作動し、前記記憶装置にテキスト形式で登録されている当該メッセージを音声データに変換してから前記希望送信先（電話番号）に送信する。
また、送信先判定手段によって希望送信先がファクシミリ番号であると判定された場合には、サーバー・コンピュータのファクシミリデータ送信手段が作動し、前記記憶装置にテキスト形式で登録されている当該メッセージをファクシミリ用の画像データに変換してから前記希望送信先（ファクシミリ番号）に送信する。
従って、電子メールの送受信が可能なパーソナル・コンピュータや携帯電話に加え、電子メール送信機能のない携帯電話や電話を個人用情報通信端末として利用して送信メッセージや希望送信日時および希望送信先をサーバー・コンピュータの記憶装置に登録することができ、また、希望した送信日時には、電子メールの送受信が可能なパーソナル・コンピュータや携帯電話の他、通常の電話やファクシミリ装置を利用した送信メッセージの受け取りが可能となる。
特に、個人用情報通信端末として機能するパーソナル・コンピュータ，携帯電話，電話，ファクシミリから２以上の個人用情報通信端末を希望送信先として指定することが可能であるので、何れかの個人用情報通信端末に電源が未投入であっても送信メッセージを確実に受け取ることができる。
【０００８】
更に、前記記憶装置は、単一の送信メッセージに対して複数の希望送信先を登録するように構成されていることが望ましい。
【０００９】
複数の希望送信先を指定して希望送信日時に送信メッセージを受け取ることが可能となり、送信メッセージの受け取りに関わる確実性が向上する。
【００１０】
また、サーバー・コンピュータには、送信メッセージの登録に際し、該送信メッセージを送信日時比較手段による比較結果に関わりなく送信先判定手段に送信対象メッセージとして引き渡す確認情報送信設定手段を併設することができる。
【００１１】
このような構成を適用した場合、送信メッセージを記憶装置に登録する際に確認情報送信設定手段が作動し、希望送信日時とは無関係に当該送信メッセージを送信先判定手段に送信対象メッセージとして引き渡し、送信先判定手段の判定結果に従って、前記と同様に、電子メール送信手段，音声データ送信手段，ファクシミリデータ送信手段が、希望送信先である電子メールアドレス，電話番号，ファクシミリ番号に送信メッセージをテキスト，音声，画像の形で即時的に送信する。従って、ユーザは送信メッセージの受け取りに不都合がないか、メッセージ内容が適正であるかを事前に確認することができる。
【００１２】
また、サーバー・コンピュータには、前記個人用情報通信端末からの要求を受けて、この個人用情報通信端末から送信されて前記記憶装置に記憶された送信メッセージと希望送信日時および希望送信先を修正もしくは削除する登録データモデファイ手段を併設することができる。
【００１３】
送信メッセージや希望送信日時および希望送信先を登録した後でも登録データモデファイ手段で登録内容の修正や削除を行えるので、備忘録システムの使い勝手が向上する。
【００１４】
本発明の備忘録システム用コンピュータプログラムは、前記と同様の課題を達成するため、
個人用情報通信端末と接続可能なネットワークに記憶装置を備えて接続されたサーバー・コンピュータのマイクロプロセッサを、
前記個人用情報通信端末から送信されたテキストデータからなる送信メッセージと希望送信日時および希望送信先を受け付けて前記記憶装置に登録するテキストデータ受付手段、
前記個人用情報通信端末から送信された音声データからなる送信メッセージと希望送信日時および希望送信先を受け付けてテキストデータに変換して前記テキストデータ受付手段に引き渡す音声データ変換手段、
前記記憶装置に登録された送信メッセージの希望送信日時と現在日時とを比較し、前記現在日時が前記希望送信日時に達したか否かを判定する送信日時比較手段、
前記送信日時比較手段により現在日時が希望送信日時に達したと判断された送信メッセージの希望送信先が電子メールアドレスで指定されているのか電話番号で指定されているのかファクシミリ番号で指定されているのかを判定する送信先判定手段、
前記送信先判定手段による判定結果が電子メールアドレスである場合に作動し、前記送信メッセージを電子メールとして前記希望送信先に送信する電子メール送信手段、
前記送信先判定手段による判定結果が電話番号である場合に作動し、前記送信メッセージを音声データに変換して前記希望送信先に送信する音声データ送信手段、および、
前記送信先判定手段による判定結果がファクシミリ番号である場合に作動し、前記送信メッセージをファクシミリ用の画像データに変換して前記希望送信先に送信するファクシミリデータ送信手段として機能させることを特徴とした構成を有する。
更に、この備忘録システム用コンピュータプログラムにより、サーバー・コンピュータのマイクロプロセッサを、確認情報送信設定手段，登録データモデファイ手段として機能させるように構成してもよい。
【００１５】
この備忘録システム用コンピュータプログラムをインストールしたサーバー・コンピュータの機能については既に述べた通りである。
【発明の効果】
【００１６】
本発明の備忘録システムおよび備忘録システム用コンピュータプログラムは、個人用情報通信端末から送信メッセージや希望送信日時および希望送信先がテキスト形式で送信された場合には、これらのデータをテキスト形式で記憶装置にそのまま登録する一方、個人用情報通信端末から送信メッセージや希望送信日時および希望送信先が音声データで送信された場合には、これらのデータをテキストデータに変換してから記憶装置に登録すると共に、現在日時が希望送信日時に達した際には、希望送信先が電子メールアドレスであるのか電話番号であるのかファクシミリ番号であるのかに応じ、記憶装置に登録されている送信メッセージをテキスト形式のまま、あるいは、音声データに変換して、更には、ファクシミリ用の画像データに変換して希望送信先に送信するようにしているので、電子メールの送受信が可能なパーソナル・コンピュータや携帯電話に加え、電子メール送信機能のない携帯電話や電話を個人用情報通信端末として利用して送信メッセージや希望送信日時および希望送信先をサーバー・コンピュータの記憶装置に登録することができ、また、希望送信日時には電子メールの送受信が可能なパーソナル・コンピュータや携帯電話の他、通常の電話やファクシミリ装置を利用して送信メッセージを受け取ることができる。
特に、個人用情報通信端末として機能するパーソナル・コンピュータ，携帯電話，電話，ファクシミリから２以上の個人用情報通信端末を希望送信先として指定することが可能であるので、何れかの個人用情報通信端末に電源が未投入であっても送信メッセージを確実に受け取ることができる。
【発明を実施するための最良の形態】
【００１７】
次に、本発明を実施するための最良の形態について図面を参照して説明する。図１は本発明を適用した一実施形態の備忘録システムの構成の概略について示した機能ブロック図である。
【００１８】
この実施形態の備忘録システム１は、図１に示されるように、記憶装置２を備えたサーバー・コンピュータ３と、個人用情報通信端末として機能するパーソナル・コンピュータ４，携帯電話５，通常の電話６，ファクシミリ装置７、および、これらの個人用情報通信端末とサーバー・コンピュータ３とを接続するネットワーク８によって構成される。
【００１９】
個人用情報通信端末としては必ずしもパーソナル・コンピュータ４，携帯電話５，通常の電話６，ファクシミリ装置７の全てが必要なわけではなく、これらのうち、１種以上のもの、望ましくは、２種以上のものがネットワーク８に接続されているとよい。
【００２０】
この実施形態では、備忘録システム１を利用するユーザが複数いることを前提としているので、１種以上の個人用情報通信端末が複数個ネットワーク８に接続されていることになる。
【００２１】
サーバー・コンピュータ３は、ワークステーションあるいは通常のパーソナル・コンピュータ等によって構成することが可能であり、また、記憶装置２は大容量のハードディスク・ドライブ等で構成することが可能である。記憶装置２はサーバー・コンピュータ３と一体であってもよいし、外付けであってもよい。
【００２２】
サーバー・コンピュータ３に配備されたマイクロプロセッサ９（以下、ＣＰＵ９と称する）は、このサーバー・コンピュータ３にインストールされた備忘録システム用コンピュータプログラムに従って駆動制御され、パーソナル・コンピュータ４あるいは電子メール機能付き携帯電話５等の個人用情報通信端末から送信されたテキストデータからなる送信メッセージと希望送信日時および希望送信先を受け付けて記憶装置２に登録するテキストデータ受付手段Ａとして機能し、また、携帯電話５あるいは通常の電話６等の個人用情報通信端末から送信された音声データからなる送信メッセージと希望送信日時および希望送信先を受け付けてテキストデータに変換してからテキストデータ受付手段Ａに引き渡す音声データ変換手段Ｂとして機能する。
ＣＰＵ９は、また、インターネット等からなるネットワーク８を介して提供される画像やフォーム等を表示する機能を備えた携帯電話５あるいはパーソナル・コンピュータ４等の個人用情報通信端末からの要求を受けて、記憶装置２に記憶されている送信メッセージと希望送信日時および希望送信先を修正もしくは削除する登録データモデファイ手段Ｃとして機能し、更には、記憶装置２に登録されている送信メッセージの希望送信日時と現在日時とを比較し、現在日時が各送信メッセージの記希望送信日時に達しているか否かを判定する送信日時比較手段Ｄとしても機能する。
また、ＣＰＵ９は、送信日時比較手段Ｄにより現在日時が希望送信日時に達したと判断された送信メッセージの希望送信先が電子メールアドレスで指定されているのか電話番号で指定されているのかファクシミリ番号で指定されているのかを判定する送信先判定手段Ｅとして機能すると共に、テキストデータ受付手段Ａが送信メッセージを記憶手段２に登録する際に、この送信メッセージを送信日時比較手段Ｄによる比較結果に関わりなく送信先判定手段Ｅに送信対象メッセージとして引き渡す確認情報送信設定手段Ｆとしても機能する。
更に、このＣＰＵ９は、送信先判定手段Ｅによる判定結果が電子メールアドレスである場合に作動し、記憶装置２にテキストデータとして登録されている送信メッセージを電子メールとして希望送信先に送信する電子メール送信手段Ｇとして機能し、また、送信先判定手段Ｅによる判定結果が電話番号である場合に作動し、記憶装置２にテキストデータとして登録されている送信メッセージを音声データに変換して希望送信先に送信する音声データ送信手段Ｈとして機能する他、送信先判定手段Ｅによる判定結果がファクシミリ番号である場合に作動し、記憶装置２にテキストデータとして登録されている送信メッセージをファクシミリ用の画像データに変換して希望送信先に送信するファクシミリデータ送信手段Ｉとしても機能する。
【００２３】
サーバー・コンピュータ３には、備忘録システム用コンピュータプログラムをインストールするためのハードディスク・ドライブや、受信データの一時記憶さらには演算データの一時記憶等に必要とされるＲＡＭ等が備えられている。
【００２４】
サーバー・コンピュータ３は単一のコンピュータによって構成してもよいし、また、受付サーバーと受信サーバーとを併用して構成してもよい。
【実施例１】
【００２５】
次に、図２を参照して具体的な実施例を説明する。この実施例では、備忘録システム３０のサーバー・コンピュータ３を受付サーバー３ａと発信サーバー３ｂとによって構成し、受付サーバー３ａと発信サーバー３ｂによって記憶装置２を共有している。
【００２６】
また、ネットワーク８としてはインターネット８ａと公衆電話回線８ｂを併用しており、インターネット８ａには電子メールの送受信機能や画像およびフォーム等の表示機能を備えたパーソナル・コンピュータ等からなる顧客インターネット端末４ａや携帯電話あるいはＰＤＡ等からなる顧客メール端末５ａが個人用情報通信端末として接続され、また、公衆電話回線８ｂには、通常の電話（固定電話）あるいは専ら通話用に特化した携帯電話等からなる顧客（携帯）電話６ｂ、更には、顧客ファクシミリ装置７ｂが個人用情報通信端末として接続されるようになっている。
【００２７】
受付サーバー３ａの構成の概略を図３に示す。受付サーバー３ａの主要部は、演算処理用のマイクロプロセッサ１０（以下、ＣＰＵ１０と称する）と、ＣＰＵ１０の基本的な制御プログラムを格納したＲＯＭ１１、および、演算データや受信データの一時記憶等に利用されるＲＡＭ１２と、備忘録システム用コンピュータプログラムの一部をインストールしたハードディスク・ドライブ１３によって構成され、ＣＰＵ１０のインターフェイス回路１４には前述の記憶装置２とインターネット８ａおよび公衆電話回線８ｂが情報伝達可能に接続されている。
【００２８】
また、ＣＰＵ１０の入出力回路１５には、マン・マシン・インターフェイスを構成するキーボード１６，マウス１７，モニタ１８およびプリンタ１９等が接続されている。受付サーバー３ａは、ＣＰＵ１０の制御に用いるクロックパルス等を利用して現在の日時（年，月，日，時，分，秒）を把握する公知の時計機能を備えている。
【００２９】
受付サーバー３ａのＣＰＵ１０は、ハードディスク・ドライブ１３からＲＡＭ１２に読み出された備忘録システム用コンピュータプログラム（図５参照）に従って駆動制御され、前述のテキストデータ受付手段Ａ，音声データ変換手段Ｂ，登録データモデファイ手段Ｃ，確認情報送信設定手段Ｆとして機能する他、顧客ファクシミリ装置７ｂから送信されたファクシミリの画像データからなる送信メッセージと希望送信日時および希望送信先を受け付け、文字認識処理によりテキストデータに変換してテキストデータ受付手段Ａに引き渡すファクシミリデータ変換手段Ｊとしても機能する。
【００３０】
発信サーバー３ｂのハードウェア上の構成は実質的に受付サーバー３ａと同等であり、図４に示される通り、演算処理用のマイクロプロセッサ２０（以下、ＣＰＵ２０と称する）と、ＣＰＵ２０の基本的な制御プログラムを格納したＲＯＭ２１、および、演算データや送信データの一時記憶等に利用されるＲＡＭ２２と、備忘録システム用コンピュータプログラムの他部をインストールしたハードディスク・ドライブ２３によって構成され、ＣＰＵ２０のインターフェイス回路２４には前述の記憶装置２とインターネット８ａおよび公衆電話回線８ｂが情報伝達可能に接続され、また、ＣＰＵ２０の入出力回路２５には、マン・マシン・インターフェイスを構成するキーボード２６，マウス２７，モニタ２８およびプリンタ２９等が接続されている。発信サーバー３ｂにも受付サーバー３ａと同様の公知の時計機能が備えられている。
【００３１】
発信サーバー３ｂのＣＰＵ２０は、ハードディスク・ドライブ２３からＲＡＭ２２に読み出された備忘録システム用コンピュータプログラム（図６参照）に従って駆動制御され、前述の送信日時比較手段Ｄ，送信先判定手段Ｅ，電子メール送信手段Ｇ，音声データ送信手段Ｈ，ファクシミリデータ送信手段Ｉとして機能する。
【００３２】
記憶装置２に構築されるデータベースの一例を図７に示す。このデータベースは、個人用情報通信端末として機能する顧客インターネット端末４ａ，顧客メール端末５ａ，顧客（携帯）電話６ｂ，顧客ファクシミリ装置７ｂからインターネット８ａあるいは公衆電話回線８ｂを介して送信された送信メッセージと希望送信日時および希望送信先を一対一に対応させて記憶するためのもので、テキストデータからなる１つの送信メッセージに対して複数の希望送信先を設定することが可能であり、これらのデータの登録に際し、各データセット毎（送信メッセージと希望送信日時および希望送信先を組み合わせたセット毎）に固有のユーザＩＤが自動設定されるようになっている。
【００３３】
この送信メッセージを受信する受信手段としては個人用情報通信端末として機能する顧客インターネット端末４ａ，顧客メール端末５ａ，顧客（携帯）電話６ｂ，顧客ファクシミリ装置７ｂのうちの何れか１つもしくは２以上の組み合わせが可能であるが、通常の電話でも携帯電話でも音声の受信は可能であり、また、顧客インターネット端末４ａでも顧客メール端末５ａでも電子メールの送受信は可能である。更に、顧客ファクシミリ装置７ｂ以外にもインターネットＦａｘ機能を備えた顧客インターネット端末４ａ等でファクシミリの画像データを受信することが可能であるので、受信手段自体のハードウェア構成を特定しても意味はない。従って、この実施例では、受信手段として電子メール，電話，ファクシミリの何れかを指定することで受信手段を特定するようにしている。受信手段として電子メールを指定した場合には希望送信先を電子メールアドレスで指定し、受信手段として電話を指定した場合には希望送信先を電話番号で指定し、受信手段としてファクシミリを指定した場合には希望送信先をファクシミリ番号で指定することになる。受信手段は希望送信先を修飾する情報である。電子メールアドレスと電話番号（ファクシミリ番号）については＠の有無等で受信手段を特定することが可能であるが、電話番号とファクシミリ番号は共に数値列のみで表記されるため識別が困難であり、希望送信先を何らかの形で修飾して電話番号とファクシミリ番号を弁別するための情報が必要となる。
【００３４】
次に、サーバー・コンピュータ３の一部を構成する受付サーバー３ａのＣＰＵ１０によって実行される図５の「受付処理」とサーバー・コンピュータ３の一部を構成する発信サーバー３ｂのＣＰＵ２０によって実行される図６の「送信処理」を参照して本実施例における備忘録システム３０の全体的な処理動作について説明する。
【００３５】
まず、受付サーバー３ａ側の処理について具体的に説明する。受付サーバー３ａのＣＰＵ１０は、電源投入時のイニシャライズ処理終了後、インターネット８ａあるいは公衆電話回線８ｂを介して個人用情報通信端末として機能する顧客インターネット端末４ａ，顧客メール端末５ａ，顧客（携帯）電話６ｂ，顧客ファクシミリ装置７ｂから接続要求が入力されるか、もしくは、顧客インターネット端末４ａあるいは顧客メール端末５ａから登録データの表示要求が入力されるのを待つ待機状態に入る（図５のステップａ１，ステップａ２）。
【００３６】
ステップａ１の判定処理で接続要求の入力が検出された場合、ＣＰＵ１０は、まず、この接続要求がインターネット８ａを経由して入力されたものであるか否かを判定し（ステップａ３）、インターネット８ａを経由して入力されたものであれば、更に、この接続要求を送信した個人用情報通信端末が画像やフォーム等を表示する機能を備えたものであるか否かを判定する（ステップａ４）。
【００３７】
一般に、パーソナル・コンピュータ等からなる顧客インターネット端末４ａとインターネットモードで動作可能な携帯電話あるいはＰＤＡ等からなる顧客メール端末５ａには、この機能がある。
【００３８】
ステップａ４の判定結果が真となり、接続要求を送信した個人用情報通信端末が画像やフォーム等を表示する機能を備えたものであることが明らかとなった場合、ＣＰＵ１０は、図８に示されるようなデータ入力フォームをハードディスク・ドライブ１３から読み出してインターネット８ａ経由で個人用情報通信端末である顧客インターネット端末４ａもしくは顧客メール端末５ａに送信し（ステップａ５）、この個人用情報通信端末からのデータ入力の受け付けを開始する（ステップａ６）。
【００３９】
データ入力フォームを受信した個人用情報通信端末は、そのモニタ上に図８に示されるようなデータ入力フォームを表示する。
【００４０】
モニタ上のデータ入力フォームを参照したユーザは、テンキーを操作して希望送信日時の欄にデータを入力し、ラジオボタンやポップアップメニュー等の選択機能を利用して電子メール，電話，ファクシミリといった受信手段の種別を指定すると共に、受信手段毎の電子メールアドレスもしくは電話番号あるいはファクシミリ番号をテンキーや文字コードキーで入力し、更に、希望送信日時に受け取りたい送信メッセージ（御連絡内容）をテキストデータとして入力する。
【００４１】
前述した通り、テキストデータからなる１つの送信メッセージ（御連絡内容）に対して複数の受信手段を指定し、各受信手段毎に希望送信先を設定することが可能である。なお、図８のデータ入力フォームにおける「確認要求」のラジオボタンは、送信メッセージ（御連絡内容）の受け取りに不都合がないかを事前に確認する必要のある受信手段を指定するためのもので、デフォルトではオフの設定となっているので、ユーザは、事前に受信を確認する必要のある受信手段に対してのみ改めてオンの設定に変更するようにする。
【００４２】
そして、全ての入力操作を終えたユーザは、最終的に、この個人用情報通信端末を利用して登録処理の終了を宣言する。登録処理の終了宣言は、例えば、図８に示されるデータ入力フォームの「登録」の位置をカーソルでクリックする等の操作によって実現可能である。
【００４３】
ユーザが登録処理の終了を宣言すると、図８のデータ入力フォームを利用して入力されたデータがインターネット８ａを介して個人用情報通信端末から受付サーバー３ａに送信される。
【００４４】
このようにして受付サーバー３ａに送信されたデータはステップａ７の判定処理でＣＰＵ１０によって検出され、テキストデータ受付手段Ａとして機能するＣＰＵ１０が、このデータセットに対して固有のユーザＩＤを生成し、受信したデータセットと共に記憶装置２のデータベース（図７参照）に登録する（ステップａ８）。
【００４５】
このとき、確認情報送信設定手段Ｆとして機能するＣＰＵ１０が受付サーバー３ａの時計機能を利用して現在日時を求め、当該データセットにおける希望送信日時の欄を現在日時に置き換えると共に「確認要求」がオフに設定されている受信手段および此れに対応する希望送信先のデータを削除してデータセットの複製を生成し、記憶装置２のデータベース（図７参照）に登録する（ステップａ９）。
【００４６】
この複製は直ちに送信が必要な送信対象メッセージであり、前述した通り、その希望送信日時は生成時点で既に希望送信日時に達しているので、後述する図６の「送信処理」において直ちに発信サーバー３ｂのＣＰＵ２０によって記憶装置２のデータベースから読み出され、「確認要求」がオンに設定されている受信手段の希望送信先にユーザＩＤと共に送信された後、直ちに記憶装置２のデータベースから削除されることになる。従って、ユーザは、「確認要求」をオンに設定した受信手段によって当該データセットに固有のユーザＩＤを直ちに確認することができる。
【００４７】
一方、ステップａ４の判定結果が偽となった場合には、この個人用情報通信端末が画像やフォーム等の表示機能を備えない通話に特化した携帯電話等であることを意味するので、ＣＰＵ１０は、入力フォームの送信等に関わる処理を非実行とし、これに代えて、希望送信日時，受信手段の種別指定，希望送信先（電子メールアドレス，電話番号，ファクシミリ番号），送信メッセージ（御連絡内容），「確認要求」のオン・オフ設定を口頭で行う旨のガイダンスメッセージをインターネット８ａを介して音声データで個人用情報通信端末に送信することになる（ステップａ１１）。
【００４８】
音声データを受信した個人用情報通信端末は、そのスピーカを利用してガイダンスメッセージを音声出力し、ユーザにデータの入力方法を指示する。
【００４９】
そして、このガイダンスメッセージを参照したユーザが個人用情報通信端末を利用して音声データの入力を開始すると、この音声データがインターネット８ａを経由して受信サーバー３ａに入力され、音声データ変換手段Ｂとして機能するＣＰＵ１０が、音声データからなる送信メッセージ（御連絡内容）と希望送信日時および受信手段の種別指定と希望送信先ならびに「確認要求」のオン／オフ設定を受け付けて逐次テキストデータに変換してＲＡＭ１２に一時記憶する（ステップａ１２）。そして、データ入力が終了すると（ステップａ７）、テキストデータ受付手段Ａとして機能するＣＰＵ１０が、ＲＡＭ１２に一時記憶されたデータセットに対して固有のユーザＩＤを生成し、このデータセットと共に記憶装置２のデータベース（図７参照）に登録する（ステップａ８）。
【００５０】
つまり、音声データ変換手段Ｂによって音声データからテキストデータに変換されたデータセットが、ＲＡＭ１２を経由して、テキストデータ受付手段Ａに引き渡されたことになる。
【００５１】
このとき、前記と同様にして、確認情報送信設定手段Ｆとして機能するＣＰＵ１０がデータセットの複製を生成して記憶装置２のデータベース（図７参照）に登録する（ステップａ９）。
【００５２】
また、ステップａ３の判定結果が偽となり、接続要求が公衆電話回線８ｂ経由で入力されたことが明らかとなった場合、ＣＰＵ１０は、更に、この接続要求を送信した個人用情報通信端末が通常の電話であるのか顧客ファクシミリ装置７ｂであるのかを判定する（ステップａ１０）。
【００５３】
ここで、ステップａ１０の判定結果が真となって当該個人用情報通信端末が通常の電話であることが明らかとなった場合には、前記と同様にしてステップａ１１，ステップａ１２，ステップａ７〜ステップａ９の処理が実行され、希望送信日時，受信手段の種別指定，希望送信先（電子メールアドレス，電話番号，ファクシミリ番号），送信メッセージ（御連絡内容），「確認要求」のオン／オフ設定を口頭で行う旨のガイダンスメッセージが公衆電話回線８ｂを介して音声データとして個人用情報通信端末に送信される。
【００５４】
そして、このガイダンスメッセージを参照したユーザが個人用情報通信端末を利用して音声データの入力を開始すると、個人用情報通信端末から送信された音声データからなる送信メッセージ（御連絡内容）と希望送信日時および受信手段の種別指定と希望送信先ならびに「確認要求」のオン／オフ設定が音声データ変換手段Ｂとして機能するＣＰＵ１０によって受け付けられてテキストデータに変換された後、テキストデータ受付手段Ａとして機能するＣＰＵ１０が、このデータセットに固有のユーザＩＤを生成してデータセットと共に記憶装置２のデータベース（図７参照）に登録し、更に、確認情報送信設定手段Ｆとして機能するＣＰＵ１０が、このデータセットの複製を生成して記憶装置２のデータベース（図７参照）に登録する。
【００５５】
一方、ステップａ１０の判定結果が真となり、接続要求を送信した個人用情報通信端末が顧客ファクシミリ装置７ｂであることが明らかとなった場合、ＣＰＵ１０は、図８に示されるようなデータ入力フォームをファクシミリ用の画像データで生成し、この画像データを公衆電話回線８ｂ経由で顧客ファクシミリ装置７ｂに送信し（ステップａ１３）、顧客ファクシミリ装置７ｂからの応答を待つ待機状態に入る（ステップａ１４）。
【００５６】
画像データを受信した顧客ファクシミリ装置７ｂは図８に示されるようなデータ入力フォームをプリントアウトし、ユーザは、このデータ入力フォームに従って希望送信日時の書き込みやラジオボタンの塗り潰し（受信手段の種別指定と「確認要求」のオン／オフ設定のための作業）および希望送信先や送信メッセージ（御連絡内容）の記入を行い、この紙を顧客ファクシミリ装置７ｂに読み込ませて公衆電話回線８ｂ経由で受付サーバー３ａに送信する。
【００５７】
このようにして送信されたファクシミリの画像データはステップａ１４の処理でＣＰＵ１０によって検出され、ファクシミリデータ変換手段Ｊとして機能するＣＰＵ１０が、ファクシミリの画像データに対して文字認識処理を行い、その内容をテキストデータに変換してＲＡＭ１２に一時記憶する（ステップａ１５）。そして、テキストデータ受付手段Ａとして機能するＣＰＵ１０が、ＲＡＭ１２に一時記憶されたデータセットに対して固有のユーザＩＤを生成し、このデータセットと共に記憶装置２のデータベース（図７参照）に登録する（ステップａ８）。
【００５８】
つまり、ファクシミリデータ変換手段Ｊによってファクシミリの画像データからテキストデータに変換されたデータセットが、ＲＡＭ１２を経由して、テキストデータ受付手段Ａに引き渡されたことになる。
【００５９】
このとき、前記と同様にして、確認情報送信設定手段Ｆとして機能するＣＰＵ１０がデータセットの複製を生成して記憶装置２のデータベース（図７参照）に登録する（ステップａ９）。
【００６０】
このようにして記憶装置２のデータベースに登録処理を行った後、送信メッセージ（御連絡内容）等に修正を加えたりデータセットを削除する必要が生じた場合、ユーザは、顧客インターネット端末４ａあるいはインターネットモードで動作可能な顧客メール端末５ａ等を利用して受付サーバー３ａにユーザＩＤを指定してアクセスすることになる。
【００６１】
ユーザＩＤを指定したアクセスは受付サーバー３ａのＣＰＵ１０によって表示要求として認識され、この表示要求を検出したＣＰＵ１０は、まず、このユーザＩＤに基いて記憶装置２のデータベースを検索し、対応するデータセットを求め（ステップａ１６）、このデータセットの内容を図８に示されるようなデータ入力フォームに重畳させてインターネット８ａ経由で個人用情報通信端末に送信し、表示要求の送信元である個人用情報通信端末のモニタ上に表示させる（ステップａ１７）。
【００６２】
ここで、個人用情報通信端末のモニタ表示を確認したユーザが個人用情報通信端末を操作してデータの削除要求を送信した場合には、この削除要求が、インターネット８ａを経由して受付サーバー３ａに送り返される。
【００６３】
登録データモデファイ手段Ｃとして機能するＣＰＵ１０は、ステップａ１８の判定処理で削除要求を検出し、このデータセット、つまり、ステップａ１６の処理で検索されたデータセットとユーザＩＤを記憶装置２のデータベースから削除する（ステップａ１９）。
【００６４】
一方、個人用情報通信端末のモニタ表示を確認したユーザが個人用情報通信端末を操作してデータセットの内容を修正した場合には、修正されたデータセットの内容がインターネット８ａを経由して受付サーバー３ａに送り返されることになる。
【００６５】
登録データモデファイ手段Ｃとして機能するＣＰＵ１０は、このデータ送信を修正要求として認識し（ステップａ２０）、送信されてきたデータセットの内容をステップａ１６の処理で検索されたデータセットに代えて記憶装置２のデータベースに上書きすることで、当該データセットの内容を更新する（ステップａ２１）。従って、送信メッセージ（御連絡内容）に関わる内容の他、希望送信日時，受信手段の種別指定，希望送信先（電子メールアドレス，電話番号，ファクシミリ番号）を任意に修正することが可能である。
【００６６】
次に、発信サーバー３ｂ側の処理について具体的に説明する。発信サーバー３ｂのＣＰＵ２０は、電源投入時のイニシャライズ処理終了後、記憶装置２のデータベースの先頭からデータセットを循環的に１セットずつ読み出し（ステップｂ１）、送信日時比較手段Ｄとして機能するＣＰＵ２０が、発信サーバー３ｂの時計機能を利用して現在日時を求め、この現在日時が当該データセットに記憶されている希望送信日時に達しているか否かを判定する（ステップｂ２）。
【００６７】
既に述べたように、受付サーバー３ａ側で実行される「受付処理」のステップａ９の処理で記憶装置２のデータベースに送信対象メッセージとして登録された複製は、登録時点で既に希望送信日時に達しているので、ステップｂ２の判定処理において直ちに送信が必要な送信対象メッセージとして検出される。
【００６８】
従って、結果的には、送信メッセージの登録に際してステップａ９の処理で生成された複製が、複製の元となったデータセット即ちステップａ８の処理で登録されたデータセットに記憶されている希望送信日時とは全く無関係に、送信先判定手段Ｅに送信対象メッセージとして即時的に引き渡されたことになる。
【００６９】
送信対象メッセージとして登録された複製のデータセットがステップｂ２の処理で検出された場合、送信先判定手段Ｅとして機能するＣＰＵ２０は、このデータセットに登録されている希望送信先を１つ読み込み（ステップｂ３）、その受信手段として電子メールが指定されているのか（ステップｂ４）、電話が指定されているのかを判定する（ステップｂ８）。
【００７０】
ここで、ステップｂ４の判定結果が真となった場合、つまり、受信手段として電子メールが指定されている場合には、電子メール送信手段Ｇとして機能するＣＰＵ２０が、このデータセットにテキストデータとして登録されている送信メッセージ（御連絡内容）とユーザＩＤを記憶装置２のデータベースから読み出し、この送信メッセージ（御連絡内容）とユーザＩＤを本文とする電子メールを生成して、指定された電子メールアドレス、つまり、送信メッセージ（御連絡内容）の受け取りに不都合がないかを事前に確認する必要のある希望送信先に宛ててインターネット８ａ経由で送信する（ステップｂ５）。
【００７１】
また、ステップｂ４の判定結果が偽となってテップｂ８の判定結果が真となった場合、つまり、受信手段として電話が指定されている場合には、音声データ送信手段Ｈとして機能するＣＰＵ２０が希望送信先の電話番号を発呼して接続を確認した後（ステップｂ９，ステップｂ１０）、このデータセットにテキストデータとして登録されている送信メッセージ（御連絡内容）を記憶装置２のデータベースから読み出し、この送信メッセージ（御連絡内容）とユーザＩＤを音声合成処理によって音声データに変換してから、指定された電話番号、つまり、送信メッセージ（御連絡内容）の受け取りに不都合がないかを事前に確認する必要のある希望送信先に宛てて送信する（ステップｂ１１）。
【００７２】
更に、ステップｂ４およびステップｂ８の判定結果が共に偽となった場合には、受信手段としてファクシミリが指定されていることを意味するので、ファクシミリデータ送信手段Ｉとして機能するＣＰＵ２０が希望送信先のファクシミリ番号を発呼して接続を確認した後（ステップｂ１２，ステップｂ１３）、このデータセットにテキストデータとして登録されている送信メッセージ（御連絡内容）とユーザＩＤを記憶装置２のデータベースから読み出し、この送信メッセージ（御連絡内容）とユーザＩＤをファクシミリ用の画像データに変換してから、指定されたファクシミリ番号、つまり、送信メッセージ（御連絡内容）の受け取りに不都合がないかを事前に確認する必要のある希望送信先に宛てて公衆電話回線８ｂ経由で送信する（ステップｂ１１）。
【００７３】
このようにして、受け取りに不都合がないかを事前に確認する必要のある１つの希望送信先に対しての送信メッセージ（御連絡内容）とユーザＩＤの送信が終わると、ＣＰＵ２０は、このデータセット内に他の希望送信先が登録されているか否かを判定し（ステップｂ６）、他の希望送信先が登録されている場合には、前記と同様にしてステップｂ５もしくはステップｂ９〜ステップｂ１１あるいはステップｂ１２〜ステップｂ１４の処理を繰り返し実行し、送信メッセージ（御連絡内容）の受け取りに不都合がないかを事前に確認する必要のある希望送信先の全てに対して、この送信メッセージ（御連絡内容）とユーザＩＤを電子メールの形式もしくは音声データの形式あるいはファクシミリの画像データの形式で送信した後、このデータセットを記憶装置２のデータベースから削除する（ステップｂ７）。
【００７４】
従って、ユーザは、前述した通り、送信メッセージ（御連絡内容）の登録時に「確認要求」をオンに設定した受信手段によって、登録操作の完了後、直ちにデータセットに固有のユーザＩＤを確認することが可能である。
【００７５】
また、ユーザに対するユーザＩＤの送信時点で直ちに複製のデータセットが削除される結果、登録データモデファイ手段Ｃを利用してユーザが修正の対象とすることが可能なデータセットは、受付サーバー３ａ側で実行される「受付処理」のステップａ８の処理で登録されたデータセット、つまり、複製の元となったデータセットのみとなる。
【００７６】
送信メッセージ（御連絡内容）の登録時に複数の希望送信先をユーザが設定した場合であっても、「確認要求」をオンに設定した希望送信先に対してのみ事前に送信メッセージ（御連絡内容）が送信されることになるので、例えば、ユーザの将来の行動スケジュールに合わせて訪問先のファクシミリ装置等を希望送信先として設定したような場合でも、この希望送信先の「確認要求」をオフ設定とすることで、現時点で不要な情報が無意味に第三者に送信されて迷惑をかけるといった不都合を未然に防止することができる。
【００７７】
以上は、受付サーバー３ａ側で実行される「受付処理」のステップａ９の処理で複製として生成されたデータセットの送信に関連した処理であるが、複製の元となったデータセット、つまり、受付サーバー３ａ側で実行される「受付処理」においてステップａ８の処理で登録されたデータセットについての処理も、前記と全く同様にして行われる。
【００７８】
但し、ステップａ８の処理で登録されたデータセットは、希望送信日時の設定が登録時点の現在日時よりも未来に設定されているので、ステップｂ２の判定結果が真となった時点、要するに、送信日時比較手段Ｄによって認識される現在日時が当該データセットに設定されている希望送信日時（ユーザが設定した希望送信日時）に達した時点で、前記と同様にして、電子メール送信手段Ｇまたは音声データ送信手段Ｈあるいはファクシミリデータ送信手段Ｉによって、ユーザが設定した全ての希望送信先（「確認要求」がオフ設定のものも含む）に送信されることになる。
【００７９】
以上に述べた通り、この実施例の備忘録システム３０では、電子メールの送受信が可能なパーソナル・コンピュータ４ａや携帯電話５ａに加え、電子メール送信機能のない携帯電話や通常の電話６ｂ、更には、ファクシミリ装置７ｂを個人用情報通信端末として利用して送信メッセージや希望送信日時および希望送信先をサーバー・コンピュータ３の記憶装置２に登録することができ、また、希望した送信日時には電子メールの送受信が可能なパーソナル・コンピュータ４ａや携帯電話５ａの他、通常の電話６ｂやファクシミリ装置７ｂを利用して送信メッセージ（御連絡内容）を受け取ることができる。
【００８０】
しかも、個人用情報通信端末として機能するパーソナル・コンピュータ４ａや携帯電話５ａおよび通常の電話６ｂ更にはファクシミリ装置７ｂから２以上の個人用情報通信端末を希望送信先として指定することができるので、複数の希望送信先を予め指定しておけば、何れかの個人用情報通信端末が故障していたり電源が未投入であったとしても、確実に送信メッセージ（御連絡内容）を受け取ることができる。
【００８１】
また、希望送信先として設定した複数の希望送信先のうちの１以上のものを事前に受信状態を確認すべき希望送信先として指定することで、ユーザは、送信メッセージの受け取りに不都合がないか、メッセージ内容が適正であるかを事前に確認することができる。
【００８２】
この際、事前に受信状態を確認すべき希望送信先を任意に選択することができるので、ユーザの将来の行動スケジュールに合わせて訪問先のファクシミリ装置等を希望送信先として設定したような場合でも、この希望送信先の「確認要求」をオフ設定とすることで、現時点で不要な情報が無意味に第三者に送信されて迷惑をかけるといった不都合を解消できる。
【図面の簡単な説明】
【００８３】
【図１】本発明を適用した一実施形態の備忘録システムの構成の概略について示した機能ブロック図である（最適実施形態）。
【図２】一実施例の備忘録システムの構成の概略について示した機能ブロック図である（実施例１）。
【図３】サーバー・コンピュータの一部を構成する受付サーバーの構成の概略について示した機能ブロック図である（実施例１）。
【図４】サーバー・コンピュータの他部を構成する発信サーバーの構成の概略について示した機能ブロック図である（実施例１）。
【図５】受付サーバーにインストールされる備忘録システム用コンピュータプログラムの概要を示したフローチャートである（受付処理，実施例１）。
【図６】発信サーバーにインストールされる備忘録システム用コンピュータプログラムの概要を示したフローチャートである（送信処理，実施例１）。
【図７】記憶装置に構築されるデータベースの一例を示した概念図である（実施例１）。
【図８】送信メッセージの入力に際して利用されるデータ入力フォームの一例を示した概念図である（実施例１）。
【符号の説明】
【００８４】
１  備忘録システム
２  記憶装置
３  サーバー・コンピュータ
３ａ  受付サーバー
３ｂ  発信サーバー
４  パーソナル・コンピュータ（個人用情報通信端末）
４ａ  顧客インターネット端末（個人用情報通信端末）
５  携帯電話（個人用情報通信端末）
５ａ  顧客メール端末（個人用情報通信端末）
６  通常の電話（個人用情報通信端末）
６ｂ  顧客（携帯）電話（個人用情報通信端末）
７  ファクシミリ装置（個人用情報通信端末）
７ｂ  顧客ファクシミリ装置（個人用情報通信端末）
８  ネットワーク
８ａ  インターネット
８ｂ  公衆電話回線
９  マイクロプロセッサ（テキストデータ受付手段，音声データ変換手段，登録データモデファイ手段，送信日時比較手段，送信先判定手段，確認情報送信設定手段，電子メール送信手段，音声データ送信手段，ファクシミリデータ送信手段）
１０  マイクロプロセッサ（テキストデータ受付手段，音声データ変換手段，登録データモデファイ手段，確認情報送信設定手段）
１１  ＲＯＭ
１２  ＲＡＭ
１３  ハードディスク・ドライブ
１４  インターフェイス回路
１５  入出力回路
１６  キーボード
１７  マウス
１８  モニタ
１９  プリンタ
２０  マイクロプロセッサ（送信日時比較手段，送信先判定手段，電子メール送信手段，音声データ送信手段，ファクシミリデータ送信手段）
２１  ＲＯＭ
２２  ＲＡＭ
２３  ハードディスク・ドライブ
２４  インターフェイス回路
２５  入出力回路
２６  キーボード
２７  マウス
２８  モニタ
２９  プリンタ
３０  備忘録システム
Ａ  テキストデータ受付手段
Ｂ  音声データ変換手段
Ｃ  登録データモデファイ手段
Ｄ  送信日時比較手段
Ｅ  送信先判定手段
Ｆ  確認情報送信設定手段
Ｇ  電子メール送信手段
Ｈ  音声データ送信手段
Ｉ  ファクシミリデータ送信手段
Ｊ  ファクシミリデータ変換手段
【図１】
2006148629.tif 000003
【図２】
2006148629.tif 000004
【図３】
2006148629.tif 000005
【図４】
2006148629.tif 000006
【図５】
2006148629.tif 000007
【図６】
2006148629.tif 000008
【図７】
2006148629.tif 000009
【図８】
2006148629.tif 000010